(57)【特許請求の範囲】
【請求項１】
中心大動脈収縮期血圧を導出する方法であって、
ａ．所定数の血圧測定値のセットを取得するステップと、
ｂ．前記所定数の血圧測定値のセットの順序を反転させることにより反転血圧セットを取得するステップであり、前記反転血圧セットが、以下の式に従って反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数を表す、ステップと、
ｃ．整数間隔値を定めるステップと、
ｄ．前記反転血圧セットにおける第ｑの反転血圧測定値から開始して、前記反転血圧セットにおける前記整数間隔値に等しい一連の連続した反転血圧測定読取値を平均するステップと、
ｅ．前記平均した値を平均セットに格納するステップと、
ｆ．前記値の平均セットが移動平均波形を表すように、前記ステップｄ及び前記ステップｅを繰り返すステップであり、この繰り返しにおいて、ｑの値を１で開始し、ｑの値に前記整数間隔値を足した値が前記セット内の血圧測定値の前記所定数に等しくなるまでｑの値を毎回１ずつインクリメントする、ステップと、
ｇ．前記反転動脈波形及び前記移動平均波形の交点を特定するステップと、
ｈ．前記反転血圧セットにおいて前記交点に最も近い反転血圧値ＣＡＳＰＡとして、前記中心大動脈収縮期血圧（ＣＡＳＰｆｉｎａｌ）を設定するステップと、
を含む方法。
【請求項２】
前記ステップｈが、前記反転動脈波形において点ＣＡＳＰＡに隣接する２つの点（ＣＡＳＰＡ１及びＣＡＳＰＡ２）の位置を特定するサブステップをさらに含み、前記ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って定められる、請求項１に記載の方法。
【請求項３】
前記血圧測定値のセットが、前記動脈波形からの値の均一な分布に実質的に等しい、請求項１又は２に記載の方法。
【請求項４】
前記動脈波形の持続時間を定めるステップをさらに含み、
前記血圧測定値の前記所定数が、以下の式に従って定められ、
所定数＝ｓｒ×ｔ
式中、
ｓｒ＝前記血圧測定値のセットにおける前記血圧測定値を記録するために用いられる測定装置のＨｚでのサンプルレート、及び
ｔ＝秒での前記動脈波形の前記持続時間
である、請求項３に記載の方法。
【請求項５】
前記整数間隔値が前記サンプルレートを除算したものである、請求項４に記載の方法。
【請求項６】
前記整数間隔値が前記サンプルレートを５で除算した値である、請求項５に記載の方法。
【請求項７】
前記整数間隔値が前記所定数を除算したものである、請求項１〜３のいずれか一項に記載の方法。
【請求項８】
前記整数間隔値が、以下のように定められる境界の範囲内にあり、
ｉｒａｎｇｅ＝ｎ／（ｔ×ｖ）±（ｎ／（ｔ×３０））
式中、
ｎが前記血圧測定値のセットにおける血圧測定値の前記所定数であり、
ｔが前記波形の前記持続時間（秒）であり、
ｖが所定除算値である、請求項７に記載の方法。
【請求項９】
前記所定除算値が５である、請求項８に記載の方法。
【請求項１０】
前記整数間隔値が、６０を所定除算値によって除算した値に等しい、請求項１又は２に記載の方法。
【請求項１１】
前記整数間隔値（ｉ）が１２である、請求項１０に記載の方法。
【請求項１２】
前記血圧測定値のセットにおける血圧測定値の前記所定数が１２以上である、請求項１〜１１のいずれか一項に記載の方法。
【請求項１３】
前記血圧測定値のセットにおける血圧測定値の前記所定数が少なくとも１５である、請求項１２に記載の方法。
【請求項１４】
動脈波形データを分析して中心大動脈収縮期血圧値を導出する方法であって、
ａ．動脈波形データセットを受け取るステップと、
ｂ．前記動脈波形データセットにおける前記動脈波形を、所定数を有する血圧測定値の代表的なセットに分割するステップと、
ｃ．前記所定数を有する前記血圧測定値のセットの順序を反転させることにより反転血圧測定値セットを取得するステップであり、前記反転血圧セットが、以下の式に従って反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数である、ステップと、
ｄ．処理されている前記セットに対する整数間隔値を定めるステップと、
ｅ．前記セットにおける第ｑの反転血圧測定値から開始して、前記セットにおける前記整数間隔値に等しい一連の連続した反転血圧測定読取値を平均するステップと、
ｆ．前記平均した値を平均データセットに格納するステップであり、前記平均データセットが移動平均波形を表す、ステップと、
ｇ．前記反転動脈波形及び前記移動平均波形の交点を特定するステップと、
ｈ．前記反転血圧セットにおいて前記交点に最も近い反転血圧値ＣＡＳＰＡとして、前記中心大動脈収縮期血圧（ＣＡＳＰｆｉｎａｌ）を設定するステップと、
を含み、
前記ステップｂから前記ステップｈまでが、前記動脈波形データセットにおける各動脈波形に対して繰り返され、この繰返し各々に対し、前記ステップｅ及び前記ステップｆが、ｑの値を１で開始し、ｑの値に前記整数間隔値を足した値が処理されている前記セット内の反転血圧測定値の前記所定数に等しくなるまでｑの値を毎回１ずつインクリメントしてさらに繰り返される、方法。
【請求項１５】
前記ステップｈが、前記動脈波形において点ＣＡＳＰＡに隣接する２つの点（ＣＡＳＰＡ１及びＣＡＳＰＡ２）の位置を特定するサブステップを含み、前記ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って定められる、請求項１４に記載の方法。
【請求項１６】
動脈波形データを分析して中心大動脈収縮期血圧値を導出する方法であって、
ａ．動脈波形データセットを受け取るステップであり、前記データセットにおける各動脈波形が、所定数を有する血圧測定値の代表的なセットを含む、ステップと、
ｂ．前記血圧測定値の代表的なセットの順序を反転させることにより反転血圧セットを取得するステップであり、前記反転血圧セットが、以下の式に従って反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数である、ステップと、
ｃ．処理されている前記セットに対し整数間隔値を定めるステップと、
ｄ．前記反転血圧セットにおける第ｑの反転血圧測定値から開始して、前記反転血圧セットにおける前記整数間隔値に等しい一連の連続した反転血圧測定読取値を平均するステップと、
ｅ．前記平均した値を平均データセットに格納するステップであり、前記平均データセットが移動平均波形を表す、ステップと、
ｆ．前記反転血圧セット及び前記移動平均波形の交点を特定するステップと、
ｇ．前記反転血圧セットにおいて前記交点に最も近い反転血圧値ＣＡＳＰＡとして、前記中心大動脈収縮期血圧（ＣＡＳＰｆｉｎａｌ）を設定するステップと、
を含み、
前記ステップｂから前記ステップｇまでが、前記動脈波形データセットにおける各動脈波形に対して繰り返され、この繰返し各々に対し、前記ステップｄ及び前記ステップｅが、ｑの値を１で開始し、ｑの値に前記整数間隔値を足した値が処理されている前記セット内の血圧測定値の前記所定数に等しくなるまでｑの値を毎回１ずつインクリメントしてさらに繰り返される、方法。
【請求項１７】
前記ステップｇが、前記反転血圧セットにおいて点ＣＡＳＰＡに隣接する２つの点（ＣＡＳＰＡ１及びＣＡＳＰＡ２）の位置を特定するサブステップを含み、前記ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って定められる、請求項１６に記載の方法。
【請求項１８】
前記データセットにおける少なくとも１つの動脈波形に対する血圧測定値の前記所定数が、前記データセットにおける他の動脈波形に対する血圧測定値の前記所定数とは異なる、請求項１６又は１７に記載の方法。
【請求項１９】
前記血圧測定値のセットが、前記動脈波形からの値の均一な分布に実質的に等しい、請求項１６〜１８のいずれか一項に記載の方法。
【請求項２０】
前記動脈波形の持続時間を定めるステップをさらに含み、前記血圧測定値の前記所定数が、以下の式に従って定められ、
所定数＝ｓｒ×ｔ
式中、
ｓｒ＝前記血圧測定値のセットにおける前記血圧測定値を記録するために用いられる測定装置のＨｚでのサンプルレート、及び
ｔ＝前記動脈波形の前記持続時間
である、請求項１９に記載の方法。
【請求項２１】
前記整数間隔値が前記サンプルレートを除算したものである、請求項１６〜２０のいずれか一項に記載の方法。
【請求項２２】
前記整数間隔値が前記サンプルレートを５で除算した値である、請求項２１に記載の方法。
【請求項２３】
前記整数間隔値が前記所定数を除算したものである、請求項１６〜２０のいずれか一項に記載の方法。
【請求項２４】
前記整数間隔値が、以下のように定められる境界の範囲内にあり、
ｉｒａｎｇｅ＝ｎ／（ｔ×ｖ）±（ｎ／（ｔ×３０））
式中、
ｎが前記血圧測定値のセットにおける血圧測定値の前記所定数であり、
ｔが前記波形の前記持続時間（秒）であり、
ｖが所定除算値である、請求項２３に記載の方法。
【請求項２５】
前記所定除算値が５である、請求項２４に記載の方法。
【請求項２６】
前記整数間隔値が、６０を所定除算値によって除算した値に等しい、請求項１４〜１７のいずれか一項に記載の中心大動脈収縮期血圧値を導出する方法。
【請求項２７】
前記整数間隔値が１２である、請求項２６に記載の中心大動脈収縮期血圧値を導出する方法。
【請求項２８】
前記血圧測定値のセットにおける血圧測定値の前記所定数が１２以上である、請求項１４〜２７のいずれか一項に記載の動脈波形データを分析して中心大動脈収縮期血圧値を導出する方法。
【請求項２９】
前記血圧測定値のセットにおける血圧測定値の前記所定数が少なくとも１５である、請求項２８に記載の動脈波形データを分析して中心大動脈収縮期血圧値を導出する方法。
【請求項３０】
中心大動脈収縮期血圧を導出するシステムであって、
動脈波形測定装置と、
処理ユニットと、
を具備し、
前記動脈波形測定装置が血圧測定値を所定間隔で取得し、この取得を、少なくとも１つの動脈波形が、前記取得される血圧測定値のセットによって表されるまで行い、１つの動脈波形を表す前記血圧測定値のセットが、後に前記処理ユニットに通信され、前記処理ユニットが、
ａ．前記血圧のセットの順序を反転させることにより反転血圧セットを取得し、前記反転血圧セットが、以下の式に従って定められる反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数であり、
ｂ．整数間隔値を定め、
ｃ．前記反転血圧セットにおける第ｑの反転血圧測定値から開始して、前記反転血圧セットにおける前記整数間隔値に等しい一連の連続した反転血圧測定読取値を平均し、
ｄ．前記平均した値を平均セットに格納し、
ｅ．前記反転血圧セット及び前記平均セットの交点を特定し、
ｆ．前記反転血圧セットにおいて前記交点に最も近い反転血圧値ＣＡＳＰＡとして、前記中心大動脈収縮期血圧（ＣＡＳＰｆｉｎａｌ）を設定し、
前記ステップｃ及び前記ステップｄが、ｑの値を１で開始し、ｑの値に前記整数間隔値を足した値が前記セット内の血圧測定値の前記数に等しくなるまでｑの値を毎回１ずつインクリメントして繰り返される、システム。
【請求項３１】
前記ステップｆが、前記反転動脈波形において点ＣＡＳＰＡに隣接する２つの点（ＣＡＳＰＡ１及びＣＡＳＰＡ２）の位置を特定するサブステップを含み、前記ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って定められる、請求項３０に記載のシステム。
【請求項３２】
中心大動脈収縮期血圧を導出するソフトウェアが記録されたコンピュータ可読媒体であって、前記ソフトウェアが、
所定数の血圧測定値を有するセットの順序を反転させることにより反転血圧測定値のセットを取得する手段であり、前記反転血圧測定値が、以下の式に従って定められる反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数である、手段と、
前記所定数の反転血圧測定値を反転血圧セットに格納する第１の格納手段と、
整数間隔値を定める手段と、
前記セットにおける第ｑの血圧測定値から開始して、前記反転血圧セットにおける前記整数間隔値に等しい一連の連続した反転血圧測定読取値を平均する平均手段と、
前記平均した値を平均セットに格納する第２の格納手段であり、前記平均セットが平均波形を表す、第２の格納手段と、
前記反転動脈波形及び前記平均波形の交点を特定する特定手段と、
前記反転血圧セットにおいて前記交点に最も近い反転血圧値ＣＡＳＰＡとして、前記中心大動脈収縮期血圧（ＣＡＳＰｆｉｎａｌ）を設定する結果手段と、
を有し、
前記平均手段及び前記第２の格納手段の機能が、ｆの値を１で開始し、ｆの値に前記整数間隔値を足した値が前記セット内の血圧測定値の前記所定数に等しくなるまでｆの値を毎回１ずつインクリメントして繰り返される、コンピュータ可読媒体。
【請求項３３】
動脈波形データを分析して中心大動脈収縮期血圧値を導出するソフトウェアが記録されたコンピュータ可読媒体であって、前記ソフトウェアが、
動脈波形データセットを受け取る通信手段と、
前記動脈波形データセットにおける前記動脈波形を、所定数を有する血圧測定値の代表的なセットに分割する設定手段と、
前記所定数の血圧測定値の順序を反転させることにより反転血圧測定値セットを取得する手段であり、前記反転血圧測定値が、以下の式に従って定められる反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数である、手段と、
処理されている前記反転血圧セットに対して整数間隔値を定める間隔手段と、
前記セットにおける第ｆの反転血圧測定値から開始して、前記反転血圧セットにおける前記整数間隔値に等しい一連の連続した反転血圧測定読取値を平均する平均手段と、
前記平均値を平均セットに格納する第１の格納手段と、
前記反転動脈波形及び前記平均波形の交点を特定する特定手段と、
前記反転血圧セットにおいて前記交点における前記反転血圧値に最も近い反転血圧値ＣＡＳＰＡとして、前記中心大動脈収縮期血圧（ＣＡＳＰｆｉｎａｌ）を設定する結果手段と、
処理されている前記動脈波形が前記動脈波形データセットで占める位置に対応する位置に前記ＣＡＳＰｆｉｎａｌ値を格納する第２の格納手段と、
を含み、
前記設定手段、前記間隔手段、前記平均手段、前記第１の格納手段及び前記第２の格納手段の機能が、前記動脈波形データセットにおける各動脈波形に対して繰り返され、この繰返し各々に対し、前記平均手段及び前記第１の格納手段の機能が、ｑの値を１で開始し、ｑの値に前記整数間隔値を足した値が処理されている前記セット内の血圧測定値の前記所定数に等しくなるまでｑの値を毎回１ずつインクリメントしてさらに繰り返される、コンピュータ可読媒体。
【請求項３４】
動脈波形データを分析して中心大動脈収縮期血圧値を導出するソフトウェアが記録されたコンピュータ可読媒体であって、前記ソフトウェアが、
動脈波形データセットを受け取る通信手段であり、前記データセットにおける各動脈波形が、所定数を有する血圧測定値の代表的なセットを含む、通信手段と、
前記所定数の血圧測定値の順序を反転させることにより反転血圧測定値のセットを取得する手段であり、前記反転血圧測定値が、以下の式に従って定められる反転動脈波形を表し、
ｒｂｐ［１．．．ｎ］＝ｂｐ［ｎ．．．１］
式中、
ｂｐが前記血圧測定値のセットを表し、
ｒｂｐが前記反転血圧測定値のセットを表し、
ｎが前記所定数である、手段と、
処理されている前記反転血圧セットに対して整数間隔値を定める間隔手段と、
前記セットにおける第ｑの反転血圧測定値から開始して、前記セットにおける前記整数間隔値に等しい一連の連続した反転血圧測定読取値を平均する平均手段と、
前記平均値を平均セットに格納する第１の格納手段と、
前記反転動脈波形及び前記平均波形の交点を特定する特定手段と、
前記反転血圧セットにおいて前記交点に最も近い反転血圧値ＣＡＳＰＡとして、前記中心大動脈収縮期血圧（ＣＡＳＰｆｉｎａｌ）を設定する結果手段と、
前記ＣＡＳＰｆｉｎａｌ値を格納する第２の格納手段と、
を有し、
前記前記間隔手段、前記平均手段、前記第１の格納手段及び前記第２の格納手段の機能が、前記動脈波形データセットにおける各動脈波形に対して繰り返され、こうした繰返し各々に対し、前記平均手段及び前記第１の格納手段の機能が、ｑの値を１で開始し、ｑの値に前記整数間隔値を足した値が処理されている前記セット内の血圧測定値の前記所定数に等しくなるまでｑの値を毎回１ずつインクリメントしてさらに繰り返される、コンピュータ可読媒体。
【請求項３５】
前記結果手段が、前記反転動脈波形において点ＣＡＳＰＡに隣接する２つの点（ＣＡＳＰＡ１及びＣＡＳＰＡ２）の位置を特定するステップを含み、前記ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って定められる、請求項３２〜３４のいずれか一項に記載のコンピュータ可読媒体。
【発明の詳細な説明】
【技術分野】
【０００１】
本発明は、中心大動脈収縮期血圧値を導出する方法と、動脈波形データを分析して中心大動脈収縮期血圧値を導出する方法とに関する。
【背景技術】
【０００２】
本発明の背景技術の欄でり以下の説明は、本発明の理解を容易にすることを意図している。しかしながら、以下の説明は、参照する資料のいずれかがいずれかの管轄内で本出願の優先日において公開され、既知となり、又はよく知られた一般知識の一部であったことを承認又は自認するものではないことが理解されるべきである。
【０００３】
心臓病は先進国において深刻な健康問題である。潜在的な心臓病の１つの指標は、血圧の指定された「正常」値の範囲からの変動である。
【０００４】
血圧値を確定する一般的な方法は、血圧測定用カフを用いて上腕動脈において収縮期及び拡張期両方の血圧を測定することである。これらの値は、一般に、大動脈圧値を含む、他の動脈における全体的な血圧を示すものとみなされる。この仮定は、伝統的に、潜在的な心臓病を示す際に有益であったが、最近の研究により、このようにして測定された「正常な」上腕血圧値が異常な中心大動脈収縮期血圧値を隠す可能性があることが分かった。
【０００５】
この問題に対する１つの解決法が、アトコーメディカル社（Ａｔｃｏｒ  Ｍｅｄｉｃａｌ  Ｐｔｙ  Ｌｔｄ．）によって採用されている。アトコーの解決法は、一般伝達関数式を用いて、半径方向圧力波形を中心大動脈血圧波形に変換する。しかしながら、この一般伝達式は、すべての大動脈が同じであると仮定しており、式は、患者の相互代表（ｃｒｏｓｓ−ｒｅｐｒｅｓｅｎｔａｔｉｏｎ）に対する試験を通して確定された相関値に基づいており、したがって、一般仮定は、相互代表サンプルの範囲外にある患者からの中心大動脈圧の計算に誤りをもたらす可能性がある。この一般伝達式は、処理されるデータが非常に短時間にわたって劇的に増大する場合に顕著なタイムラグにつながる可能性がある、複雑な導関数を得ることも含む。
【発明の概要】
【０００６】
本文書を通して、別に指示のない限り、「備える、含む（ｃｏｍｐｒｉｓｉｎｇ）」、「からなる（ｃｏｎｓｉｓｔｉｎｇ  ｏｆ）」等の用語は、網羅的でないものとして、又は言い換えれば、「含む、ただし限定されない」という意味であるものとして解釈されるべきである。
【０００７】
本発明の第１の態様によれば、中心大動脈収縮期血圧を導出する方法であって、
ａ．所定数の血圧測定値のセット（組）を取得するステップと、
ｂ．所定数の血圧測定値のセットの順序を反転させることにより反転血圧セットを取得するステップであり、反転血圧セットが、以下の式に従って反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数を表す、ステップと、
ｃ．整数間隔値を確定するステップと、
ｄ．反転血圧セットにおける第ｑの反転血圧測定値から開始して、反転血圧セットにおける整数間隔値に等しい一連の連続した反転血圧測定読取値を平均するステップと、
ｅ．平均値を平均セットに格納するステップと、
ｆ．値の平均セットが移動平均波形を表すように、ステップｄ及びｅを、ｑの値を１で開始し、ｑの値に整数間隔値を足した値がセット内の血圧測定値の所定数に等しくなるまでｑの値を毎回１ずつインクリメントして繰り返すステップと、
ｇ．反転動脈波形及び移動平均波形の交点を特定するステップと、
ｈ．反転血圧セットにおいて交点に最も近い反転血圧値ＣＡＳＰＡとして、中心大動脈収縮期血圧（ＣＡＳＰｆｉｎａｌ）を設定する、ステップと、
を含む方法がある。
【０００８】
反転動脈波形と移動平均波形との交点は、概して、反転動脈波形における、血圧測定値密度が高い可能性のある領域にあるため、これは、タイムラグのいかなる影響も低減するという利点を有することができる。さらに、中心大動脈収縮期血圧は、相互代表サンプルの一般血圧波形に関する仮定を行わない血圧測定値から導出される。これにより、誤りの可能性を低減することができる。
【０００９】
本発明の別の態様によれば、中心大動脈収縮期血圧値を導出する方法であって、
ａ）動脈波形データセットを受け取るステップと、
ｂ）動脈波形データセットにおける動脈波形を、所定数を有する血圧測定値の代表的なセットに分割するステップと、
ｃ）所定数を有する血圧測定値のセットの順序を反転させることにより反転血圧測定値セットを取得するステップであり、反転血圧セットが、以下の式に従って反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数である、ステップと、
ｄ）処理されているセットに対する整数間隔値を確定するステップと、
ｅ）セットにおける第ｑの反転血圧測定値から開始して、セットにおける整数間隔値に等しい一連の連続した反転血圧測定読取値を平均するステップと、
ｆ）平均値を平均データセットに格納するステップであり、平均データセットが移動平均波形を表す、ステップと、
ｇ）反転動脈波形及び移動平均波形の交点を特定するステップと、
ｈ）反転血圧セットにおいて交点に最も近い反転血圧値ＣＡＳＰＡとして、中心大動脈収縮期血圧（ＣＡＳＰｆｉｎａｌ）を設定する、ステップと、
を含み、
ステップｂ．からｈ．が動脈波形データセットにおける各動脈波形に対して繰り返され、こうした繰返し各々に対し、ステップｅ．及びｆ．が、ｑの値を１で開始し、ｑの値に整数間隔値を足した値が処理されているセット内の反転血圧測定値の所定数に等しくなるまでｑの値を毎回１ずつインクリメントしてさらに繰り返される、方法がある。
【００１０】
本発明の別の態様によれば、動脈波形データを分析して中心大動脈収縮期血圧値を導出する方法であって、
ａ）動脈波形データセットを受け取るステップであり、データセットにおける各動脈波形が、所定数を有する血圧測定値の代表的なセットを含む、ステップと、
ｂ）血圧測定値の代表的なセットの順序を反転させることにより反転血圧セットを取得するステップであり、反転血圧セットが、以下の式に従って反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数である、ステップと、
ｃ）処理されているセットに対し整数間隔値を確定するステップと、
ｄ）反転血圧セットにおける第ｑの反転血圧測定値から開始して、反転血圧セットにおける整数間隔値に等しい一連の連続した反転血圧測定読取値を平均するステップと、
ｅ）平均値を平均データセットに格納するステップであり、平均データセットが移動平均波形を表す、ステップと、
ｆ）反転血圧セット及び移動平均波形の交点を特定するステップと、
ｇ）反転血圧セットにおいて交点に最も近い反転血圧値ＣＡＳＰＡとして、中心大動脈収縮期血圧（ＣＡＳＰｆｉｎａｌ）を設定するステップと、
を含み、
ステップｂ．からｇ．が動脈波形データセットにおける各動脈波形に対して繰り返され、こうした繰返し各々に対し、ステップｄ．及びｅ．が、ｑの値を１で開始し、ｑの値に整数間隔値を足した値が処理されているセット内の血圧測定値の所定数に等しくなるまでｑの値を毎回１ずつインクリメントしてさらに繰り返される、方法がある。
【００１１】
好ましくは、中心大動脈収縮期血圧（ＣＡＳＰｆｉｎａｌ）を設定するステップは、反転動脈波形において点ＣＡＳＰＡに隣接する２つの点（ＣＡＳＰＡ１及びＣＡＳＰＡ２）の位置を特定するサブステップであり、ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って確定される、サブステップをさらに含む。
【００１２】
好ましくは、血圧測定値のセットは、動脈波形からの値の均一な分布に実質的に等しい。
【００１３】
好ましくは、動脈波形の持続時間を確定するステップであり、血圧測定値の所定数は、以下の式に従って確定され、
所定数＝ｓｒ×ｔ
式中、
ｓｒ＝セットにおける血圧測定値を記録するために用いられる測定装置のＨｚでのサンプルレート、及び
ｔ＝動脈波形の持続時間（秒）
である。
【００１４】
好ましくは、整数間隔値はサンプルレートを除算したものである。
【００１５】
好ましい実施形態では、整数間隔値はサンプルレートを５で除算した値である。
【００１６】
好ましい実施形態では、整数間隔値は所定数を除算したものである。
【００１７】
好ましい実施形態では、整数間隔値は、以下のように確定される境界の範囲内にあり、
ｉｒａｎｇｅ＝ｎ／（ｔ×ｖ）±（ｎ／（ｔ×３０））
式中、
ｎがセットにおける血圧測定値の前記所定数であり、
ｔが波形の前記持続時間（秒）であり、
ｖが所定除算値である。
【００１８】
好ましくは、所定除算値が５である。
【００１９】
好ましい実施形態では、整数間隔値は、６０を所定除算値によって除算した値に等しい。
【００２０】
好ましい実施形態では、整数間隔値（ｉ）は１２である。
【００２１】
好ましい実施形態では、セットにおける血圧測定値の所定数は１２以上である。
【００２２】
好ましい実施形態では、セットにおける血圧測定値の所定数は少なくとも１５である。
【００２３】
本発明の別の態様によれば、中心大動脈収縮期血圧を導出するシステムであって、
動脈波形測定装置と、
処理ユニットと、
を備え、
動脈波形測定装置が、血圧測定値を所定間隔で取得し、それを、少なくとも１つの動脈波形が、取得される血圧測定値のセットによって表されるまで行い、１つの動脈波形を表す血圧測定値のセットが、後に処理ユニットに通信され、処理ユニットが、
ａ）血圧測定値のセットの順序を反転させることにより反転血圧セットを取得し、反転血圧セットが、以下の式に従って確定される反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数であり、
ｂ）整数間隔値を確定し、
ｃ）反転血圧セットにおける第ｑの反転血圧測定値から開始して、反転血圧セットにおける整数間隔値に等しい一連の連続した反転血圧測定読取値を平均し、
ｄ）平均値を平均セットに格納し、
ｅ）反転血圧セット及び平均セットの交点を特定し、
ｆ）反転血圧セットにおいて交点に最も近い反転血圧値ＣＡＳＰＡとして、中心大動脈収縮期血圧（ＣＡＳＰｆｉｎａｌ）を設定し、
ステップｃ及びｄが、ｑの値を１で開始し、ｑの値に整数間隔値を足した値がセット内の血圧測定値の前記数に等しくなるまでｑの値を毎回１ずつインクリメントして繰り返される、システムがある。
【００２４】
好ましくは、中心大動脈収縮期血圧（ＣＡＳＰｆｉｎａｌ）を設定するステップは、反転動脈波形において点ＣＡＳＰＡに隣接する２つの点（ＣＡＳＰＡ１及びＣＡＳＰＡ２）の位置を特定するサブステップであり、ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って確定される、サブステップをさらに含む。
【００２５】
本発明の別の態様によれば、中心大動脈収縮期血圧を導出するソフトウェアが記録されたコンピュータ可読媒体であって、ソフトウェアが、
所定数の血圧測定値を有するセットの順序を反転させることにより反転血圧測定値のセットを取得する手段であり、反転血圧測定値が、以下の式に従って確定される反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数である、手段と、
所定数の反転血圧測定値を反転血圧セットに格納する第１の格納手段と、
整数間隔値を確定する手段と、
セットにおける第ｑの血圧測定値から開始して、セットにおける整数間隔値に等しい一連の連続した反転血圧測定読取値を平均する平均手段と、
平均値を平均セットに格納する第２の格納手段であり、平均セットが平均波形を表す、第２の格納手段と、
反転動脈波形及び平均波形の交点を特定する特定手段と、
反転血圧セットにおいて交点に最も近い反転血圧値ＣＡＳＰＡとして、中心大動脈収縮期血圧（ＣＡＳＰｆｉｎａｌ）を設定する結果手段と、
を有し、
平均手段及び第２の格納手段の機能が、ｑの値を１で開始し、ｑの値に整数間隔値を足した値がセット内の血圧測定値の所定数に等しくなるまでｑの値を毎回１ずつインクリメントして繰り返される、コンピュータ可読媒体がある。
【００２６】
本発明の別の態様によれば、動脈波形データを分析して中心大動脈収縮期血圧値を導出するソフトウェアが記録されたコンピュータ可読媒体であって、ソフトウェアが、
動脈波形データセットを受け取る通信手段と、
動脈波形データセットにおける動脈波形を、所定数を有する血圧測定値の代表的なセットに分割する設定手段と、
所定数の血圧測定値の順序を反転させることにより反転血圧測定値セットを取得する手段であり、反転血圧測定値が、以下の式に従って確定される反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数である、手段と、
処理されている反転血圧セットに対して整数間隔値を確定する間隔手段と、
セットにおける第ｆの反転血圧測定値から開始して、反転血圧セットにおける整数間隔値に等しい一連の連続した反転血圧測定読取値を平均する平均手段と、
平均値を平均セットに格納する第１の格納手段と、
反転動脈波形及び平均波形の交点を特定する特定手段と、
反転血圧セットにおいて交点における反転血圧値に最も近い反転血圧値ＣＡＳＰＡとして、中心大動脈収縮期血圧（ＣＡＳＰｆｉｎａｌ）を設定する結果手段と、
処理されている動脈波形が動脈波形データセットで占める位置に対応する位置にＣＡＳＰｆｉｎａｌ値を格納する第２の格納手段と、
を含み、
設定手段、間隔手段、平均手段、第１の格納手段及び第２の格納手段の機能が、動脈波形データセットにおける各動脈波形に対して繰り返され、こうした繰返し各々に対し、平均手段及び第１の格納手段の機能が、ｆの値を１で開始し、ｆの値に整数間隔値を足した値が処理されているセット内の血圧測定値の所定数に等しくなるまでｆの値を毎回１ずつインクリメントしてさらに繰り返される、コンピュータ可読媒体がある。
【００２７】
本発明の別の態様によれば、動脈波形データを分析して中心大動脈収縮期血圧値を導出するソフトウェアが記録されたコンピュータ可読媒体であって、ソフトウェアが、
動脈波形データセットを受け取る通信手段であり、データセットにおける各動脈波形が、所定数を有する血圧測定値の代表的なセットを含む、通信手段と、
所定数の血圧測定値の順序を反転させることにより反転血圧測定値のセットを取得する手段であり、反転血圧測定値が、以下の式に従って確定される反転動脈波形を表し、
ｒｂｐ［１．．．ｎ］＝ｂｐ［ｎ．．．１］
式中、
ｂｐが血圧測定値のセットを表し、
ｒｂｐが反転血圧測定値のセットを表し、
ｎが所定数である、手段と、
処理されている反転血圧セットに対して整数間隔値を確定する間隔手段と、
セットにおける第ｑの反転血圧測定値から開始して、セットにおける整数間隔値に等しい一連の連続した反転血圧測定読取値を平均する平均手段と、
平均値を平均セットに格納する第１の格納手段と、
反転動脈波形及び平均波形の交点を特定する特定手段と、
反転血圧セットにおいて前記交点に最も近い反転血圧値ＣＡＳＰＡとして、中心大動脈収縮期血圧（ＣＡＳＰｆｉｎａｌ）を設定する結果手段と、
ＣＡＳＰｆｉｎａｌ値を格納する第２の格納手段と、
を含み、
間隔手段、平均手段、第１の格納手段及び第２の格納手段の機能が、動脈波形データセットにおける各動脈波形に対して繰り返され、こうした繰返し各々に対し、平均手段及び第１の格納手段の機能が、ｑの値を１で開始し、ｑの値に整数間隔値を足した値が処理されているセット内の血圧測定値の前記所定数に等しくなるまでｑの値を毎回１ずつインクリメントしてさらに繰り返される、コンピュータ可読媒体がある。
【００２８】
好ましくは、中心大動脈収縮期血圧（ＣＡＳＰｆｉｎａｌ）を設定することが、反転動脈波形において点ＣＡＳＰＡに隣接する２つの点（ＣＡＳＰＡ１及びＣＡＳＰＡ２）の位置を特定するステップであり、ＣＡＳＰｆｉｎａｌが、式
ＣＡＳＰｆｉｎａｌ＝（ＣＡＳＰＡ１＋ＣＡＳＰＡ２＋ＣＡＳＰＡ）／３
に従って確定される、ステップをさらに含む。
【００２９】
次に、本発明について、添付図面を参照して単に例として説明する。
【図面の簡単な説明】
【００３０】
【図１】本発明の第１の実施形態による動脈の中心大動脈圧値を確定する方法のフローチャートである。
【図２】本発明の第２の実施形態による、動脈波形データセットを分析して対応する中心大動脈圧データセットを生成する方法のフローチャートである。
【図３ａ】本発明の第３の実施形態による、対応する中心大動脈収縮期血圧データセットを生成する試験値のからなる表である。
【図３ｂ】中心大動脈収縮期血圧値を得るために、本発明の任意の実施形態によって処理することができる、反転動脈波形及び移動平均波形並びにそれらの交点を示すグラフである。
【発明を実施するための形態】
【００３１】
ここで、本発明の特定の実施形態について、添付図面を参照して説明する。本明細書で使用する用語は、特定の実施形態を説明することのみを目的とするものであり、本発明の範囲を限定するようには意図されていない。さらに、特に定義しない限り、本明細書で使用するすべての技術用語及び科学用語は、本発明が属する技術分野における当業者によって一般に理解されるものと同じ意味を有する。
【００３２】
本発明の第１の実施形態によれば、中心大動脈収縮期血圧値を確定する方法１０を提供する。方法１０を、図１にフローチャートの形態で示す。
【００３３】
図１に示すように、方法１０は、動脈波形を表す、血圧（ｂｐ）測定値のセットを取得することによって開始する（ステップ１２）。動脈波形を、本技術分野において既知であるように動脈において測定し直接使用することができ、又はデータベースに格納してもよい。
【００３４】
血圧測定値のセットを反転させて、血圧軸を中心に参照された動脈波形の鏡像である反転動脈波形を表す１組の反転血圧（ｒｂｐ）測定値セットを取得する（ステップ１４）。
【００３５】
血圧測定値／反転血圧測定値のセットは、所定数（ｎ）の測定値を有する。血圧測定値及び反転血圧測定値は、以下の式に基づいて互いに関連する。
ｒｂｐ［１．．．ｎ］＝ｂｐ［ｎ．．．１］
所定数（ｎ）は、後に、サンプリングレート（ｓｒ）を得るために、かかった時間（秒）によって除算されて動脈波形を完成する。
【００３６】
ステップ１６において、サンプリングレート（ｓｒ）を所定除算値（ｖ）で除算することにより、整数間隔値（ｉ）を確定する。この方法では、整数間隔値（ｉ）に対して絶対値又は丸め数学関数を施すことができる。
【００３７】
そして、第１の反転血圧測定値ｒｂｐ［（ｑ）］で開始して、以下のステップを繰り返す。
ステップ１８において、反転血圧測定値｛ｒｂｐ［ｑ］，ｒｂｐ［ｑ＋１］，ｒｂｐ［ｑ＋２］，ｒｂｐ［ｑ＋３］，…，ｒｂｐ［ｑ＋ｉ−１］｝を合計して合計値（ｓ）を形成する。
ステップ２０において、合計値（ｓ）を整数間隔値（ｉ）で除算して、平均反転血圧値（ａ）を形成する。
ステップ２２において、平均反転血圧値（ａ）を値の移動平均セットに格納する。
【００３８】
［ｑ＋ｉ−１］が所定数（ｎ）に等しいという条件が満たされるまで、ステップ１８、２０及び２２を順に繰り返す。
【００３９】
値の得られた移動平均セットは、移動平均波形を表す。
【００４０】
ステップ２４は、反転動脈波形において、反転動脈波形と移動平均波形との交点における血圧値に最も近い血圧値を有する反転血圧値（ＣＡＳＰＡ）を特定する。
【００４１】
ステップ２６において、反転動脈波形において、反転血圧値（ＣＡＳＰＡ）に隣接する２つの点（ＣＡＳＰＡ１及びＣＡＳＰＡ２）の位置を特定することにより、中心大動脈収縮期血圧値を確定する。ステップ２８において、以下の式に従って中心大動脈収縮期血圧値（ＣＡＳＰｆｉｎａｌ）を計算する。
ＣＡＳＰｆｉｎａｌ＝（ＣＡＳＰＡ１＋ＣＡＳＰＡ２＋ＣＡＳＰＡ）／３
【００４２】
本発明の第２の実施形態によれば、動脈波形データセットを分析して対応する中心大動脈収縮期血圧データセットを生成する方法１００が提供される。この実施形態に一般に先行するのは、医療関係者が当業者に既知であるような任意の技法によって動脈の血圧（ｂｐ）の動脈波形表現を得るということである。そして、この動脈波形表現は、対応する中心大動脈収縮期血圧値を確定するために中央処理ステーションに提供される。中心処理ステーションは、動脈波形表現を受け取った後、以下のように動作する。
【００４３】
波形データセットにおける各動脈波形に対し、血圧軸を中心に参照される動脈波形の鏡像であるような反転動脈波形を取得する。
【００４４】
ステップ１１０において、処理されている反転動脈波形を、代表的な反転血圧（ｒｂｐ）測定値のセットに分割する。血液測定値及び反転血液測定値のセットは、所定数（ｎ）の測定値を有している。血圧測定値及び反転血圧測定値は、以下の式に基づいて互いに関連する。
ｒｂｐ［１．．．ｎ］＝ｂｐ［ｎ．．．１］
【００４５】
各所定数（ｎ）は、後に、サンプリングレート（ｓｒ）を取得するために、かかった時間（秒）によって除算されることにより関連する動脈波形を完成する。
【００４６】
ステップ１１２において、サンプリングレート（ｓｒ）を所定除算値（ｖ）によって除算することにより、整数間隔値（ｉ）を確定する。
【００４７】
そして、第１の反転血圧測定値ｒｂｐ［（ｑ）］で開始して、以下のステップを繰り返す。
ステップ１１８において、反転血圧測定値｛ｒｂｐ［ｑ］，ｒｂｐ［ｑ＋１］，ｒｂｐ［ｑ＋２］，ｒｂｐ［ｑ＋３］，…，ｒｂｐ［ｑ＋ｉ−１］｝を合計して合計値（ｓ）を形成する。
ステップ１２０において、合計値（ｓ）を整数間隔値（ｉ）で除算して、平均反転血圧値（ａ）を形成する。
ステップ１２２において、平均反転血圧値（ａ）を移動平均セットに格納する。
【００４８】
［ｑ＋ｉ−１］が所定数（ｎ）に等しいという条件が満たされるまで、ステップ１１８、１２０及び１２２を順に繰り返す。
【００４９】
値の得られた移動平均セットは、移動平均波形を表す。
【００５０】
ステップ１２４は、反転動脈波形において、反転動脈波形と移動平均波形との交点における血圧値に最も近い反転血圧値（ＣＡＳＰＡ）を特定する。
【００５１】
ステップ１２６において、反転動脈波形において、反転血圧値（ＣＡＳＰＡ）に隣接する２つの点（ＣＡＳＰＡ１及びＣＡＳＰＡ２）の位置を特定することにより、中心大動脈収縮期血圧値を取得する。ステップ１２８において、以下の式に従って中心大動脈収縮期血圧値（ＣＡＳＰｆｉｎａｌ）を計算する。
ＣＡＳＰｆｉｎａｌ＝（ＣＡＳＰＡ１＋ＣＡＳＰＡ２＋ＣＡＳＰＡ）／３
【００５２】
そして、波形データセットにおける各動脈波形に対して、対応する中心大動脈収縮期血圧値が計算されるまで、ステップ１１０、１１２、１１８、１２０、１２２、１２４、１２６、１２８を順に繰り返す。
【００５３】
同様の数字が第１の実施形態の同様のステップを参照する、本発明の第３の実施形態によれば、動脈波形データセットを分析して対応する中心大動脈収縮期血圧値を生成する方法（図示せず）が提供される。この実施形態は、所定数（ｎ）が１５を超過する任意の値であり得ることが分かった、本出願人によって行われた実験に基づく。
【００５４】
この実施形態では、適当な間隔を確定するために所定除算値（ｖ）は５であることが好ましいが、整数間隔値（ｉ）が或る範囲内にある場合、実質的に正確な大動脈収縮期血圧値を得ることができた。整数間隔値（ｉ）の範囲は以下のように確定される。
ｉｒａｎｇｅ＝ｎ／（ｔ×ｖ）±（ｎ／（ｔ×３０））
式中、この実施形態では、変数ｔは単一波形の持続時間（秒）を表す。
【００５５】
ここで、この実施形態について、以下の例に関連してより詳細に説明する。
【００５６】
ステップ１２によれば、動脈波形を表す動脈からの血圧（ｂｐ）測定値のセットを取得する。測定値を図３ａに示す。
【００５７】
ステップ１４に示すように、血圧測定値セットの順序を反転することに基づいて、反転血圧（ｒｂｐ）測定値セットを取得する。
【００５８】
この波形を完成するためにかかった時間は０．６８３秒である。
【００５９】
本実施形態では、所定数（ｎ）を４１に設定する。所定除算値（ｖ）は５であり、整数間隔値範囲（ｉｒａｎｇｅ）を以下のように確定する。
ｉｒａｎｇｅ＝ｎ／（ｔ×ｖ）±（ｎ／（ｔ×３０））
したがって
ｉｒａｎｇｅ＝４１／（０．６８３×５）±（４１／（０．６８３×３０））
したがって
ｉｒａｎｇｅ＝１２．０１±（２．００）
【００６０】
間隔は整数値以外のいかなる値も可能でないため、ｉｒａｎｇｅ値は１０〜１４の範囲に制限される。この例の目的で、１２という整数間隔値（ｉ）が使用されるべきである。
【００６１】
ステップ１８〜２２の要件に従い、値の移動平均セットを取得する。
【００６２】
値の移動平均セット及び反転血圧測定値を時間に対してグラフ化することにより、図３ｂに示すように、平均波形と反転動脈波形との交点が得られる。
【００６３】
ＣＡＳＰＡは、反転動脈波形と移動平均波形との交点に最も近い血圧値である。グラフから分かるように、ＣＡＳＰＡ値は１１６．８である。ＣＡＳＰＡ１及びＣＡＳＰＡ２は、反転動脈波形におけるＣＡＳＰＡに隣接する２つの血圧値である。グラフから分かるように、ＣＡＳＰＡ１値は１１５．６であり、ＣＡＳＰＡ２値は１１７．５である。
【００６４】
計算されたＣＡＳＰｆｉｎａｌ値は（１１５．６＋１１７．５＋１１６．８）８／３＝１１６．６ｍｍＨｇである。
【００６５】
本発明の第４の最も好ましい実施形態では、本発明の第１の実施形態で述べたように中心大動脈収縮期血圧値を確定する方法が提供される。しかしながら、この実施形態では、所定数（ｎ）は以下の式に従って確定される。
ｎ＝ｓｒ×ｔ
式中、
ｓｒ＝セットｂｐにおける血圧測定値を記録するために用いられる測定装置のサンプルレート（ヘルツ）、
ｔ＝１つの動脈波形を完成するためにかかった時間（秒）。
【００６６】
この実施形態では、セットｂｐにおける血圧測定値は、サンプルレートの各繰返しにおいて測定装置が取得した測定値である。さらに、本発明のこの実施形態では、間隔値は或る範囲にあり、その範囲は以下のように確定される。
ｉｒａｎｇｅ＝ｓｒ／ｖ±（ｓｒ／３０）
【００６７】
この場合、ｓｒはここでもまた、セットｂｐにおける血圧測定値を記録するために用いられる測定装置のサンプルレート（ヘルツ）を表す。さらに、所定除算値（ｖ）は好ましくは５である。この式は、ただし、値（ｓｒ）が１５を超過する場合にのみ適用可能である。下限は１５であるべきであるが、例示の目的で、好ましい実施形態では３０という値が用いられる。
【００６８】
上述したものと同じ血圧測定値のセットを使用するが、この場合は、セットが、６０測定値／秒のサンプルレート（ｓｒ）を有するサンプリング装置によって取得された血圧値の最高点である状況において、ｉｒａｎｇｅ値は以下のように計算される。
ｉｒａｎｇｅ＝ｓｒ／ｖ±（ｓｒ／３０）
ｉｒａｎｇｅ＝６０／５±（６０／３０）
ｉｒａｎｇｅ＝１２±２
【００６９】
これにより、ｉｒａｎｇｅ値は１０〜１４になる。そして、本方法の残りのステップは、上記第１の実施形態で示したように進むことができる。
【００７０】
上述した実施形態のすべてにおいて、反転動脈波形と移動平均波形との交点は、概して、反転動脈波形の、血圧測定値密度がより高い領域で発生する。これは、図３ａの領域Ａである。領域Ｂとは対照的に、領域Ａでは血圧測定密度がより高い。領域Ａ及びＢは、曲線の関連部分を示し、水平又は垂直基準に基づく測定値ではない。
【００７１】
当業者により、上記発明が説明した実施形態に限定されないことが理解されるべきである。特に、本発明の範囲から逸脱することなく以下の変更及び改善を行うことができる。
【００７２】
血圧測定値のセットを、同様に本発明の方法を行うように構成された装置から取得することができる。別法として、血圧測定値のセットを、別個の装置から取得し、本発明の方法を行うように構成されたさらなる装置に通信することができる。
【００７３】
本発明の第２の実施形態を、波形データセットデータが波形を表すデータのセットを含むことができるように変更することができる。
【００７４】
波形データセットを、データセット内の各波形の持続時間とともに本方法を行っているエンティティに供給することができる。別法として、本方法を行っているエンティティが、別の手段を通して（ｘ軸の所定長に対して固定時間値を有するグラフを受け取り、この時間／間隔関係に基づいて波形の持続時間を近似することにより、又は血圧測定値のセットを生成するために用いられるサンプルレート等、他の合成値から持続時間を導出することにより）独立して各波形の持続時間を確定することができる。
【００７５】
動脈波形の最も代表的なものであるためには、セットｂｐを形成する血圧値は、動脈波形に沿って均一な分布であるべきである。
【００７６】
中心大動脈収縮期血圧値（ＣＡＳＰｆｉｎａｌ）を、中心大動脈収縮期血圧セットにおける、反転動脈波形と移動平均波形との交点に最も近い平均値（ＣＡＳＰＡ）として、すなわちＣＡＳＰｆｉｎａｌ＝ＣＡＳＰＡとして特定することができる。
【００７７】
交点を取得する他の方法を使用してもよい。これらには、導関数法を使用すること、連立方程式を解くこと、及び２つの波形の間の交点を特定するために用いられる他の数学的ツールが含まれる。
【００７８】
移動平均を取得する手段を、中央値を取得すること、又は反転動脈波形を平滑化する効果を有する他のこうした方法等の他の方法によって達成してもよい。
【００７９】
相互に排他的でない場合、上述した特徴を組み合わせて本発明のさらに他の実施形態を形成し得ることが当業者にはさらに理解されるはずである。
【図１】
0005448213.tif 000002
【図２】
0005448213.tif 000003
【図３ａ】
0005448213.tif 000004
【図３ｂ】
0005448213.tif 000005